(57)【要約】【課題】ハードディスクイジェクト機構の中の連動杆に設けられたスライド孔により緩衝機能を得て、引き戸を開いてハードディスクがイジェクトされるときに、ハードディスクが引き戸に引っかからないようにするハードディスクイジェクト機構を提供する。【解決手段】ハードディスクイジェクト機構は、ハードディスク筐体１と、ハードディスク筐体１の前端側に設けられた少なくとも１つの引き戸１１と、ハードディスク筐体１の側部に設けられ、引き戸１１の側部に一方の端部が枢着された第１の連動杆１２と、ハードディスク筐体１の後端側に設けられ、第１の連動杆１２の他方の端部に枢着された第２の連動杆１３とを備える。【選択図】図１
0003154689.tif 000002
【実用新案登録請求の範囲】
【請求項１】
ハードディスク筐体と、
前記ハードディスク筐体の前端側に設けられた少なくとも１つの引き戸と、
前記ハードディスク筐体の側部に設けられ、前記引き戸の側部に一方の端部が枢着された第１の連動杆と、
前記ハードディスク筐体の後端側に設けられ、前記第１の連動杆の他方の端部に枢着された第２の連動杆と、を備え、
前記第１の連動杆と前記第２の連動杆とが互いに枢着される端部に、貫通孔をそれぞれ有する２つの突片が延設され、
前記第２の連動杆は、一方の端部に当接部が設けられ、他方の端部が前記ハードディスク筐体の側部に枢着され、枢着された箇所が延伸され、前記貫通孔に対応した箇所に枢着部が設けられ、
前記枢着部には、前記２つの突片に設けられた前記貫通孔に貫設された枢軸が枢着されていることを特徴とする、ハードディスクイジェクト機構。
【請求項２】
前記貫通孔は、前記第１の連動杆の延伸方向で、前記枢軸の軸径よりも大きな長さを有するスライド孔であることを特徴とする、請求項１に記載のハードディスクイジェクト機構。
【考案の詳細な説明】
【技術分野】
【０００１】
本考案は、イジェクト機構に係り、特に、ハードディスクイジェクト機構に関する。
【背景技術】
【０００２】
科学技術の発展に伴い、コンピュータは、日常生活において必要不可欠なツールとなっている。コンピュータが使用するソフトウェアおよびアクセスデータは、その大部分がハードディスクの中に記憶されている。そのため、ハードディスクは、コンピュータにとってデータを記憶させる最も重要な部分であった。ハードディスクの中でも、市販されている着脱可能なハードディスク・ラックは、コンピュータへの着脱が可能で持ち運びに便利であったため人気が高かった。しかし、従来のハードディスク・ラックは、引き戸を引くときにハードディスクがイジェクトできる構造であるため、ハードディスクをイジェクトするときに引っかかる虞がある上、ハードディスクおよび引き戸が損壊しやすかった。
【考案の概要】
【考案が解決しようとする課題】
【０００３】
本考案の目的は、ハードディスクイジェクト機構の中の連動杆に設けられたスライド孔により緩衝機能を得て、引き戸を開いてハードディスクがイジェクトされるときに、ハードディスクが引き戸により引っかかることを防ぐハードディスクイジェクト機構を提供することにある。
【課題を解決するための手段】
【０００４】
上記課題を解決するために、本考案に係るハードディスクイジェクト機構は、ハードディスク筐体と、前記ハードディスク筐体の前端側に設けられた少なくとも１つの引き戸と、前記ハードディスク筐体の側部に設けられ、前記引き戸の側部に一方の端部が枢着された第１の連動杆と、前記ハードディスク筐体の後端側に設けられ、前記第１の連動杆の他方の端部に枢着された第２の連動杆と、を備える。前記第１の連動杆と前記第２の連動杆とが互いに枢着される端部に、貫通孔をそれぞれ有する２つの突片が延設されている。前記第２の連動杆は、一方の端部に当接部が設けられ、他方の端部が前記ハードディスク筐体の側部に枢着され、枢着された箇所が延伸され、前記貫通孔に対応した箇所に枢着部が設けられている。前記枢着部には、前記２つの突片に設けられた前記貫通孔に貫設された枢軸が枢着されている。
【考案の効果】
【０００５】
上述したように、本考案は、ハードディスクイジェクト機構の中の連動杆に設けられたスライド孔により緩衝機能を得て、引き戸を開いてハードディスクがイジェクトされるときに、ハードディスクが引き戸により引っかかることを防ぐことができる。
【図面の簡単な説明】
【０００６】
【図１】本考案の一実施形態によるハードディスクイジェクト機構を示す斜視図
【図２Ａ】本考案の一実施形態によるハードディスクイジェクト機構によりハードディスクがイジェクトされるときの状態を示す平面図
【図２Ｂ】本考案の一実施形態によるハードディスクイジェクト機構によりハードディスクがイジェクトされるときの状態を示す平面図
【図２Ｃ】本考案の一実施形態によるハードディスクイジェクト機構によりハードディスクがイジェクトされるときの状態を示す平面図
【考案を実施するための形態】
【０００７】
図１を参照する。図１に示すように、本考案の一実施形態によるハードディスクイジェクト機構は、ハードディスク筐体１と、ハードディスク筐体１の前端側に設けられた少なくとも１つの引き戸１１と、ハードディスク筐体１の側部に設けられ、引き戸１１の側部に一方の端部が枢着された第１の連動杆１２と、ハードディスク筐体１の後端側に設けられ、第１の連動杆１２の他方の端部に枢着された第２の連動杆１３と、を備える。第１の連動杆１２と第２の連動杆１３とが互いに枢着される端部が延伸され、貫通孔をそれぞれ有する２つの突片１２１が形成されている。第２の連動杆１３は、一方の端部に当接部１３１が設けられ、他方の端部がハードディスク筐体１の側部に枢着されている。この枢着された箇所が延伸され、貫通孔に対応した箇所に枢着部１３２が設けられている。この枢着部１３２には、２つの突片１２１に設けられた貫通孔に貫設された枢軸２が枢着されている。上述の貫通孔とは、第１の連動杆１２の延伸方向で、枢軸２の軸径よりも大きな長さを有するスライド孔１２１１である。
【０００８】
図２Ａを参照する。図２Ａに示すように、引き戸１１が開かれていない状態では、第１の連動杆１２と第２の連動杆１３とが枢着される箇所に設けられた枢軸２は、スライド孔１２１１の端部に位置している。本実施形態のスライド孔１２１１は、略楕円状に形成されているが、これだけに限定されているわけではなく、スライド空間の長さが枢軸２の軸径よりも大きくなっている限り、他の形状に形成してもよい。図２Ｂを参照する。図２Ｂに示すように、ハードディスクがイジェクトされる際、まず、引き戸１１を回転させながら引くと、引き戸１１に枢着された第１の連動杆１２がゆっくりと後方へ摺動し、スライド孔１２１１の一方の端部から枢軸２が離れる。第１の連動杆１２が略楕円形状であることから摺動可能な距離が長くなり、スライド孔１２１１の中を枢軸２が摺動する際、第２の連動杆１３が第１の連動杆１２により押圧されない状態で、スライド孔１２１１の他方の端部まで枢軸２を摺動し続けることができる。図２Ｃを参照する。図２Ｃに示すように、スライド孔１２１１の他方の端部まで枢軸２が摺動するため、第２の連動杆１３の枢着部１３２が第１の連動杆１２により押圧されずに、第２の連動杆１３の端部がハードディスク筐体１の側部に枢着されていることから、押動により揺動し始める。第２の連動杆１３の当接部１３１は、ハードディスクの後端部に当接され、ハードディスク筐体１の外部へハードディスクをゆっくりと押し出し、ハードディスクのイジェクトを完了させる。
【０００９】
本考案のハードディスクイジェクト機構は、連動杆に設けられたスライド孔により緩衝機能を得て、引き戸が開けられてハードディスクがイジェクトされるとき、引き戸にハードディスクが引っかかることを防ぐことができる。
【００１０】
当該技術分野の当業者が実施できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００１１】
１        ハードディスク筐体
２        枢軸
３        ハードディスク
１１      引き戸
１２      第１の連動杆
１３      第２の連動杆
１２１    突片
１３１    当接部
１３２    枢着部
１２１１  スライド孔
【図１】
0003154689.tif 000003
【図２Ａ】
0003154689.tif 000004
【図２Ｂ】
0003154689.tif 000005
【図２Ｃ】
0003154689.tif 000006